(57)【要約】【課題】新しいイルミネーション効果を得ることを可能とするＦＳＣ方式のカラー表示装置及びそれを用いた携帯電子機器を提供することを目的とする。【解決手段】発光色がそれぞれ異なる複数の光源（１）と、複数の光源の中から所定の光源を順次選択して発光させることを所定周期で繰返し行う光源制御部（４）を有し、前記光源制御部は、所定周期の周波数に設定した低周波駆動モードと、高周波駆動モードとで、複数の光源の点灯制御を行い、低周波駆動モードにおける複数の光源の非照明期間に対する照明期間のデューティ比が、高周波駆動モードにおける複数の光源の非照明期間に対する照明期間のデューティ比よりも小さく設定されていることを特徴とするカラー表示装置（１００）又は携帯電子機器（１１００、１２００）。【選択図】図１
2007199236.tif 000002
【特許請求の範囲】
【請求項１】
カラー表示装置において、
発光色がそれぞれ異なる複数の光源と、
前記複数の光源の中から所定の光源を順次選択して発光させることを所定周期で繰返し行う光源制御部とを有し、
前記光源制御部は、所定周期の周波数に設定した低周波駆動モードと、高周波駆動モードとで、前記複数の光源の点灯制御を行い、
前記低周波駆動モードにおける前記複数の光源の非照明期間に対する照明期間のデューティ比が、前記高周波駆動モードにおける複数の光源の非照明期間に対する照明期間のデューティ比よりも小さく設定されている、
ことを特徴とするカラー表示装置。
【請求項２】
前記高周波駆動モードにおける前記所定周期の周波数は、６０Ｈｚ以上に設定される、請求項１に記載のカラー表示装置。
【請求項３】
カラー表示装置において、
発光色がそれぞれ異なる複数の光源と、
前記複数の光源の中から所定の光源を順次選択して発光させることを所定周期で繰返し行う光源制御部とを有し、
前記光源制御部は、前記所定の周波数を前記カラー表示装置を固定した場合には前記複数の光源の発光色が分解されて視認されないが、前記カラー表示装置を移動した場合には前記複数の光源の発光色が分解されて視認されるように、前記所定周期の周波数を設定した低周波駆動モードと、前記所定周期の周波数を６０Ｈｚ以上に設定した高周波駆動モードとで、前記複数の光源の点灯制御を行い、
前記低周波駆動モードにおける前記複数の光源の非照明期間に対する照明期間のデューティ比が、前記高周波駆動モードにおける複数の光源の非照明期間に対する照明期間のデューティ比よりも小さく設定されている、
ことを特徴とするカラー表示装置。
【請求項４】
前記低周波駆動モードにおける前記所定周期の周波数が、２０Ｈｚ以上且つ５９Ｈｚ以下に設定されている、請求項１乃至３の何れか一項に記載のカラー表示装置。
【請求項５】
前記カラー表示装置の外部環境を検出するためのセンサをさらに有し、
前記低周波駆動モードにおける前記複数の光源の非照明期間に対する照明期間のデューティ比は、前記センサの検出結果に応じて可変される、請求項１乃至４の何れか一項に記載のカラー表示装置。
【請求項６】
前記センサは加速度センサである、請求項５に記載のカラー表示装置。
【請求項７】
携帯電子機器において、
発光色がそれぞれ異なる複数の光源と、
前記複数の光源の中から所定の光源を順次選択して発光させることを所定周期で繰返し行う光源制御部とを有し、
前記光源制御部は、前記所定周期の周波数に設定した低周波駆動モードと、高周波駆動モードとで、前記複数の光源の点灯制御を行い、
前記低周波駆動モードにおける前記複数の光源の非照明期間に対する照明期間のデューティ比が、前記高周波駆動モードにおける複数の光源の非照明期間に対する照明期間のデューティ比よりも小さく設定されている、
ことを特徴とする携帯電子機器。
【請求項８】
前記高周波駆動モードにおける前記所定周期の周波数は、６０Ｈｚ以上に設定される、請求項７に記載の携帯電子機器。
【請求項９】
携帯電子機器において、
発光色がそれぞれ異なる複数の光源と、
前記複数の光源の中から所定の光源を順次選択して発光させることを所定周期で繰返し行う光源制御部とを有し、
前記光源制御部は、前記所定の周波数を前記携帯電子機器を固定した場合には前記複数の光源の発光色が分解されて視認されないが、前記携帯電子機器を移動した場合には前記複数の光源の発光色が分解されて視認されるように、前記所定周期の周波数を設定した低周波駆動モードと、前記所定周期の周波数を６０Ｈｚ以上に設定した高周波駆動モードとで、前記複数の光源の点灯制御を行い、
前記低周波駆動モードにおける前記複数の光源の非照明期間に対する照明期間のデューティ比が、前記高周波駆動モードにおける複数の光源の非照明期間に対する照明期間のデューティ比よりも小さく設定されている、
ことを特徴とする携帯電子機器。
【請求項１０】
前記低周波駆動モードにおける所定周期の周波数が、２０Ｈｚ以上且つ５９Ｈｚ以下に設定されている、請求項７乃至９の何れか一項に記載の携帯電子機器。
【請求項１１】
前記携帯電子機器の外部環境を検出するためのセンサをさらに有し、
前記低周波駆動モードにおける前記複数の光源の非照明期間に対する照明期間のデューティ比は、前記センサの検出結果に応じて可変される、請求項７乃至１０の何れか一項に記載の携帯電子機器。
【請求項１２】
前記センサは加速度センサである、請求項１１に記載の携帯電子機器。
【発明の詳細な説明】
【技術分野】
【０００１】
本発明は、カラー表示装置及びそのようなカラー表示装置を用いた携帯電子機器に関し、特に発光波長特性の異なる複数の光源を切換えてカラー表示するフィールドシーケンシャル方式（以下「ＦＳＣ方式」と言う）のカラー表示装置及びそのようなカラー表示装置を用いた携帯電子機器に関する。また、本発明に係るカラー表示装置では、その駆動周波数を切換えてイルミネーション（電飾）等の表示性能を向上させることを可能とする。
【背景技術】
【０００２】
ＦＳＣ方式のカラー液晶表示方式は、異なる波長の複数の光源を６０Ｈｚ以上の周波数で順次発光し、光源の発光タイミングに同期して液晶に駆動電圧を印加することでカラー表示を行うものである（例えば、特許文献１参照）。また、ＦＳＣ方式のカラー液晶表示方式では、（１）カラーフィルタを用いなくて済むため、透過率が極端に向上し電力消費が少なくなる事、（２）光源の発光色をそのままカラー表示に利用するため、ＲＧＢの発光波長特性に優れた光源を用いてより色再現性のよい表示を実現できる事、（３）画素をカラーフィルタの色毎に分割（例えば、Ｒ（赤）、Ｇ（緑）、Ｂ（青）の３色の時は３分割となる）をしなくて済むため、高精細化が可能な事、などが大きな利点である。そこで、ＦＳＣ方式のカラー液晶表示方式は、携帯電子機器に適したカラー液晶表示装置の方式として注目されている。
【０００３】
しかし、このＦＳＣ方式にもカラーブレイク現象（又は色割れ）という問題がある。これは、人間の目の追従運動により画面上を移動する対象物に視線は追従するが、人間の目の網膜上のそれぞれ異なる位置にＲＧＢの各成分が結像されてしまう現象である（特許文献２参照）。このような問題があるため、人間の目の応答速度よりも十分早い６０Ｈｚ以上で駆動したとしても、白い対象物が移動すると対象物と背景の境界でＲＧＢの色が見えてしまう（「以下、カラーブレイク現象」と言う）。表示するフレーム周波数を６０Ｈｚ以上に上げていけば、カラーブレイク現象は徐々に減少して抑えることができるが、液晶パネルなどをライトパネルに用いた場合には限界があり、透過率や消費電力の面からも好ましくない。
【０００４】
そこで、フレーム周波数を６０Ｈｚに保ちながらもカラーブレイク現象を改善する方法が特許文献２に提案されている。即ち、あらかじめ対象物の移動ベクトルから移動量を算出し、ＲＧＢのフレーム画像を対象物の移動ベクトルに合わせてそれぞれ異なる位置に表示することでカラーブレイク現象を軽減するとしている。
【０００５】
一方、特許文献３ではＲＧＢ各成分の発光順序を点灯サイクル毎に変化させることでカラーブレイク現象を軽減している。例えば、Ｋ回目の点灯サイクルではＲＧＢの順に点灯し、Ｋ＋１回目の点灯サイクルではＧＢＲの順に点灯し、Ｋ＋２回目ではＢＲＧの順に点灯する。これにより、フレーム周波数を６０Ｈｚとしても、対象物に現れるカラーブレイク現象は、ＫからＫ＋２フレームでそれぞれ異なった色として現れるため、相互に混色するので、認識しづらくなるとしている。
【０００６】
このようにカラーブレイク現象は、フレーム周波数を上げる方法以外にも上記の方法で改善できることが提案されている。しかし、上記の方法は、６０Ｈｚ以上で駆動した場合に従来よりもカラーブレイク現象が改善できるという内容であり、フレーム周波数を６０Ｈｚ未満ではカラーブレイク現象を改善することはできない。
【０００７】
一方、最近の携帯電話ではカラー表示装置による情報表示の他に、ＬＥＤの発光により視覚的に受信状態をユーザに知らせたり、メールの着信の有無を知らせたりする機能が付いている。さらに、ＬＥＤの発光色や点滅周期などにより発信先を特定したり、メール受信か電話着信かの区別をさせたり、する携帯電話もある。
【０００８】
さらに、最近では携帯電話等の携帯電子機器では、ＲＧＢの３色の表示が可能なＬＥＤによって、多種多様な機器の状態をユーザに知らせる以外にも、通話中などにＲＧＢ３色の発光量をプログラムしてさまざまな色に点滅させて、イルミネーション（電飾）や各種の表示を行うことがある。例えば、着信した場合には、ＲＧＢの３色を点滅させながら切換えて発光させたイルミネーションにより、ユーザや周辺の注意を引くような表示を行う携帯電子機器がある。また、着信した場合にはＲＧＢの３色を点滅させながら切換えて、市場で用いられているネオン（灯）あるいは広告灯のような表示を行い、ユーザや周辺の注意を引くような表示がされている携帯電子機器がある。さらに、ＲＧＢの３色の表示が可能なＬＥＤを数組配置し、携帯電子機器の全体を照明するようにした携帯電子機器がある。このように、ＲＧＢの３色ＬＥＤをイルミネーションとして活用するものが増えてきている。
【０００９】
このようなイルミネーションとしての機能は機器の視覚的な情報伝達以外に、デザイン性や視覚効果などで差別化することができ、ユーザの購買意欲を強く引きつける効果がある。このように、最近では新しいイルミネーションをより向上させる開発が盛んに行われている。
【００１０】
【特許文献１】特開平５−１９２５７号公報
【特許文献２】特開２００２−２１５１０９号公報
【特許文献３】特開２００２−２２３４５３号公報
【発明の開示】
【発明が解決しようとする課題】
【００１１】
ＦＳＣ方式のカラー表示装置には、前記した如くカラーブレイク現象という問題があり、このような問題を防止するためにフレーム周波数を６０Ｈｚ以上にする必要があった。つまりＦＳＣ方式のカラー表示装置で用いられる多色光源は、カラーブレイク現象を改善するために６０Ｈｚ以上で駆動していた。さらに、ＦＳＣ方式のカラー表示装置でイルミネーション表示を行うためには、ＦＳＣ方式用の光源とイルミネーション用の光源を別途設ける必要があり、機器のコスト増やデザインの制限などの問題があった。
【００１２】
そこで、本発明は、フレーム周波数を切換えることによって、新しいイルミネーション効果を得ることを可能とするＦＳＣ方式のカラー表示装置及びそれを用いた携帯電子機器を提供することを目的とする。
【課題を解決するための手段】
【００１３】
本発明に係るカラー表示装置又は携帯電子機器は、発光色がそれぞれ異なる複数の光源と、複数の光源の中から所定の光源を順次選択して発光させることを所定周期で繰返し行う光源制御部を有し、光源制御部は所定周期の周波数に設定した低周波駆動モードと高周波駆動モードとで複数の光源の点灯制御を行い、低周波駆動モードにおける複数の光源の非照明期間に対する照明期間のデューティ比が高周波駆動モードにおける複数の光源の非照明期間に対する照明期間のデューティ比よりも小さく設定されていることを特徴とする。
【００１４】
さらに、本発明に係るカラー表示装置又は携帯電子機器では高周波駆動モードにおける所定周期の周波数は６０Ｈｚ以上に設定されることが好ましい。
【００１５】
本発明に係るカラー表示装置又は携帯電子機器は、発光色がそれぞれ異なる複数の光源と、複数の光源の中から所定の光源を順次選択して発光させることを所定周期で繰返し行う光源制御部を有し、光源制御部は、所定の周波数をカラー表示装置を固定した場合には複数の光源の発光色が分解されて視認されないが、カラー表示装置を移動した場合には複数の光源の発光色が分解されて視認されるように、所定周期の周波数を設定した低周波駆動モードと、所定周期の周波数を６０Ｈｚ以上に設定した高周波駆動モードとで、複数の光源の点灯制御を行い、低周波駆動モードにおける複数の光源の非照明期間に対する照明期間のデューティ比が、高周波駆動モードにおける複数の光源の非照明期間に対する照明期間のデューティ比よりも小さく設定されていることを特徴とする。
【００１６】
さらに、本発明に係るカラー表示装置又は携帯電子機器では、低周波駆動モードにおける所定周期の周波数が、２０Ｈｚ以上且つ５９Ｈｚ以下に設定されていることが好ましい。特有のイルミネーション効果を得るために、低周波数で駆動するように構成した。
【００１７】
さらに、本発明に係るカラー表示装置又は携帯電子機器では、外部環境を検出するためのセンサをさらに有し、低周波駆動モードにおける複数の光源の非照明期間に対する照明期間のデューティ比は、センサの検出結果に応じて可変されることが好ましい。にじみ等をなくした鮮明な画像を得るために最適なデューティ比を得られるように構成した。
【００１８】
さらに、本発明に係るカラー表示装置又は携帯電子機器では、センサは加速度センサであることが好ましい。カラー表示装置又は携帯電子機器の移動速度を適切に検出できるように構成した。
【発明の効果】
【００１９】
本発明によれば、ＦＳＣ方式のカラー表示装置で用いる複数の光源を、低周波駆動モードと高周波駆動モードに切換えて点灯させるので、今までにない新しいイルミネーション効果を発揮させることが可能となった。
【００２０】
また、本発明によれば、低周波駆動モードにおける光源の照明期間のデューティ比を高周波駆動モードにおける光源の照明期間のデューティ比に比べて小さく設定したことで、非証明期間の割合が増え、実質的に黒画面の表示期間が多くなった。これにより、低周波駆動モード時に発生する画像のにじみ、ぼけ又は画像が流れるという不具合を解消した鮮明な画像を得ることができ、画面の流れを防止することが可能となった。
【発明を実施するための最良の形態】
【００２１】
以下本発明に係るカラー表示装置及び携帯電子機器について、図面を参照しなから説明する。
【００２２】
図１は、本発明に係るカラー表示装置１００の概略構成を示した図である。
【００２３】
図１に示すように、カラー表示装置１００は、光源１、液晶表示部２、及びＬＥＤ駆動制御回路４等を有する。
【００２４】
光源１は、導光板１０と、導光板１０の側面に配置された発光波長が異なる複数の光源（赤色を発光するＲＬＥＤ１１、緑色を発光するＧＬＥＤ１２及び青色を発光するＢＬＥＤ１３）を有する。導光板１０は、アクリル樹脂で形成した透明基板上にプリズムが形成されたものである。導光板１０の裏面には、反射板（図示せず）を貼り合わせている。導光板１０の側面から入射し、裏面に散乱した光は、反射板で反対側に反射するため、導光板１０の一方の面（図の上面）から光を出射する。
【００２５】
ＬＥＤ制御回路４は、各ＬＥＤを選択すると共に、少なくとも選択された各ＬＥＤの点灯（ＯＮ（オン）期間と消灯（ＯＦＦ（オフ））期間及び各ＬＥＤのＯＮとＯＦＦの繰り返し周期を制御する。ここで、ＲＬＥＤ１１、ＧＬＥＤ１２及びＢＬＥＤ１３はそれぞれ発光させるために必要な順方向電圧Ｖｆが異なるが、ＬＥＤ制御回路３で定電流制御することによりそれぞれを安定して発光させている。また、ＬＥＤ制御回路３には、ＯＮ／ＯＦＦの制御にも追従するように１００μｓ以内には十分応答する定電流回路を用いているため、ＬＥＤの発光周期ｆＲでＯＮとＯＦＦを繰り返しても、ＯＮ期間では定電流で発光し、ＯＦＦ期間では瞬時に消灯できる。
【００２６】
液晶表示部２は、液晶パネル８０、液晶駆動集積回路８１、及び液晶制御回路８２等から構成される。
【００２７】
液晶パネル８０は、ＴＦＴ素子を画素毎に形成しソース線とゲート線を配線した第１のガラス基板、透明電極を形成した第２のガラス基板、第１及び第２のガラス基板を張り合わせるためのシール材、第１及び第２のガラス基板とシール材によって封入され液晶物質、及び第１及び第２のガラス基板の上下に貼付された偏光板等から構成される。
【００２８】
液晶駆動集積回路８１は、第１の透明基板の配線を一ヶ所に集めた第２の透明基板８６の端から延出した第１の基板８５の延出部８７の部位に異方性導電接着材で導電接着され、透明電極を構成するソース線とゲート線に接続されている。
【００２９】
液晶制御回路８２は、タイミングクロック及び画像データ等を液晶駆動集積回路８１に転送し、液晶パネル８０を駆動する。液晶制御回路８２は、カラー表示装置を搭載するシステムのＭＰＵ（図示せず）などから制御される。
【００３０】
同期信号８３は、液晶制御回路８２とＬＥＤ制御回路４との同期を取るための信号であり、ＬＥＤ制御回路４から液晶制御回路８２に入力される。同期信号８３には、各色のフレームの開始を示す垂直同期信号、ＬＥＤの発光タイミングを示す発光同期信号、及びそれらの信号の源信となるクロック信号が含まれる。
【００３１】
最初に、ＭＰＵは、所定のソフトウェアを用いて、メモリ（図示せず）から画像を呼び出し、呼び出した画像に文字フォントを組み合わせる等の処理を行って表示画像を形成する。次に、ＭＰＵは、作成した表示画像を、ＲＧＢ各色の画像データに変換し、ＲＧＢ各色の画像データを液晶制御回路８２に転送する。液晶制御回路８２は、ＲＧＢ各色の画像データをＲの画像データ、Ｇの画像データ、Ｂの画像データに色分解し、液晶駆動集積回路８１に転送する。
【００３２】
図２は、カラー表示装置の駆動を説明するためのタイミングチャートの一例を示す図である。
【００３３】
図２において、「ＳＦ」は、ＬＥＤ制御回路４のＳＦ信号の波形を示し、任意のタイミングでＨｉ、Ｌｏが切り替わっている。図２では、「ＳＦ」がＬｏからＨｉへ切り替わるタイミングの前後を示している。なお、液晶パネル８０の画像表示タイミングは各ＬＥＤの駆動周波数に合致している。ＳＦ＝Ｌｏの低周波駆動モードでは、フレーム周波数＝ｆＦＲＡＭＥ１で駆動され、ＳＦ＝Ｈｉの高周波駆動モードでは、フレーム周波数＝ｆＦＲＡＭＥ２で駆動される。また、「ＲＬＥＤ」、「ＧＬＥＤ」及び「ＢＬＥＤ」は、各色ＬＥＤ１１〜１３の発光タイミングを示している。
【００３４】
さらに、「ＬＣＳ」は、液晶パネル８０の動作タイミングを示している。最初に、Ｒ色の画像表示について説明する。図１に示すように、ＬＥＤ制御回路４からの同期信号８３により、液晶制御回路８２は液晶駆動集積回路８１を制御する。液晶駆動集積回路８１は、図２に示すＲＬＥＤの点灯期間１／ｆＲ１の前半に位置する期間Ｔｇ１において、液晶パネル８０のゲート線を順次駆動し、ソース線にデータ電圧を書き込んで液晶パネル８０内の液晶に電圧を順次印加していく。その後に設定されている期間Ｔｒ１は、液晶の応答待ち期間であり、液晶に電圧を印可した後に液晶が応答してほぼ所望の透過率になるまでの時間である。応答待ち期間Ｔｒ１の次の期間を画像表示期間Ｔｄ１と言う。画像表示期間Ｔｄ１では、Ｒ色の画像データに応じて液晶が応答しているので、ＲＬＥＤが点灯し、Ｒ色の画像データに応じた表示が行われる。Ｇ色の画像表示及びＢ色の画像表示についても同様である。
【００３５】
さらに、１／ｆＲ１、１／ｆＧ１、及び１／ｆＢ１の期間は、ＳＦ＝Ｌｏの低周波駆動モード時のＬＥＤの発光期間を示している。本実施形態において、期間１／ｆＲ１のための周波数ｆＲ１、期間１／ｆＧ１のための周波数ｆＧ１、及び期間１／ｆＢ１のための周波数ｆＢ１は各々９０Ｈｚに設定されている。また、１／ｆＲ１、１／ｆＧ１、及び１／ｆＢ１のそれぞれの期間は、ＬＥＤがＯＮする発光期間とＬＥＤがＯＦＦする非発光期間が１／２ずつに設定されている（即ち、デューティ比５０％）。また、１／ｆＲ２、１／ｆＧ２、１／ｆＢ２の期間は、ＳＦ＝Ｈｉの高周波駆動モード時のＬＥＤの発光期間を示している。本実施形態において、期間１／ｆＲ２のための周波数ｆＲ２、期間１／ｆＧ２のための周波数ｆＧ２、及び期間１／ｆＢ２のための周波数ｆＢ２は各々２４０Ｈｚに設定されている。また、１／ｆＲ２、１／ｆＧ２、及び１／ｆＢ２のそれぞれの期間は、ＬＥＤがＯＮする発光期間とＬＥＤがＯＦＦする非発光期間が１／２ずつに設定されている（即ち、デューティ比５０％）。したがって、ＳＦ＝Ｌоの低周波駆動モードにおける、周波数（ｆＦＲＡＭＥ１）は３０Ｈｚとなり、ＳＦ＝Ｈｉの高周波駆動モードにおける、周波数（ｆＦＲＡＭＥ２）は８０Ｈｚとなる。
【００３６】
図２に示すようなタイミングでカラー表示装置１００が動作されると、ＳＦ＝Ｈｉの高周波駆動モード時には、Ｒ色、Ｇ色及びＢ色の各色の画像が重なりあって、人の目には通常のフルカラー画像が表示されているように感じる。しかしながら、ＳＦ＝Ｌоの低周波駆動モードでは、Ｒ色、Ｇ色及びＢ色の各色の画像の切換わりが遅いために、特殊な視認状態が生じる。以下、視認状態について説明する。
【００３７】
図３は、視認状態の遷移を示す図である。
【００３８】
図３において表示状態２０から２３は、ＳＦ＝Ｌоの低周波駆動モードにおける、それぞれのタイミングにおける表示状態を示している。
【００３９】
図３において表示状態２０、２１、２２は１／ｆＦＲＡＭＥ１の期間でそれぞれＲＬＥＤ１１、ＧＬＥＤ１２、ＢＬＥＤ１３が、それぞれの期間の中のＯＮ期間に点灯しているときの表示状態を示しており、星形部分から各ＬＥＤから発光される光が視認できる。表示状態２３はすべてのＬＥＤが消灯しているときの表示状態を示し、全面黒表示となる。このような表示状態の遷移は、図３に示す順番で、各ＬＥＤの発光（ＯＮ）と消灯（ＯＦＦ）の期間の合わせた期間である期間１／ｆＲ１、１／ｆＧ１、及び１／ｆＢ１毎に繰り返される。実施形態１ではこの期間１／ｆＲ１、１／ｆＧ１、及び１／ｆＢ１に於ける、ｆＲ１、ｆＢ１、及びｆＧ１で表されている周波数をそれぞれ９０Ｈｚに設定している。
【００４０】
一般に人間の脳が色を認識する応答速度はそれほど速くなく、時間軸で積分してとらえることは古くから知られている。電子銃を走査して画像を表示するＣＲＴは、その様な残像効果を利用しており、視認者は残像効果により１画面を均等な表示としてとらえることができる。ＮＴＳＣなどのＴＶ放送も、６０Ｈｚのインターレースで３０Ｈｚのフレーム転送により人間の目の残像効果を利用してなめらかな動画表示を実現している。電子銃の走査速度やＴＶのフレーム周波数を下げていくと、人間の目がフレーム周波数の繰り返しに応答してしまうために、輝度の点滅が人間の目に見えるフリッカと呼ばれる現象が生じる。フリッカは、周囲の明るさや対象物の輝度により変化するが、２０Ｈｚ以下では完全に見え始め、３０Ｈｚ以上ではそれほど気にならない程度になり、６０Ｈｚ以上では完全に見えなくなるといわれている。一般的なカラー表示装置ではこのフリッカが見えなくなる周波数である６０Ｈｚ以上に設定することが必須である。一方、本実施形態では、図２に示す様に、１フレーム周期の周波数をフリッカがほぼ見えなくなる３０Ｈｚに設定している。
【００４１】
カラー表示装置１００は、ＳＦ＝Ｌоの低周波駆動モードでは、赤、緑、青の星型を９０Ｈｚで切換えながら表示することとなる。そのため人間の目は赤、緑、青をそれぞれ認識することは出来ずにそれぞれが混色してみえる。光の場合には加法混色であるために図３の表示は視認者には白色の星形表示に見える。
【００４２】
図４は、カラー表示装置におけるイルミネーション効果を説明するための図である。
【００４３】
図４において、視認者はカラー表示装置１００をＰ１の位置からＰ２−Ｐ３−Ｐ４−Ｐ５を経てＰ６の位置まで振る動作を１６６．６ｍｓで行ったとする。ＳＦ＝Ｌоの低周波駆動モードでは、前述したように、カラー表示装置１００は図２に示すタイミングチャートに従い、１フレーム期間のためのフレーム周波数ｆＦＲＡＭＥ１が３０Ｈｚ（３３．３ｍｓ毎）でＲＧＢ各ＬＥＤの点灯と消灯とを合わせた周期で繰り返す。したがって、１６６．６ｍｓ中では、３３．３ｍｓ毎の表示は５回繰り返される。図４において、Ｐ１の位置からＰ６の位置までカラー表示装置１を振る距離を５つの領域に等分すると、各領域で１回表示が行われていることになる。つまり、各領域で図３の表示状態２０から２３が１回行われることとなる。
【００４４】
図５は、図４におけるＰ１からＰ２における表示状態を示す図である。
【００４５】
図５に示すように、最初のＡの期間ではＲＬＥＤ点灯、次のＢの期間では消灯、Ｃの期間ではＧＬＥＤ点灯、Ｄの期間では消灯、Ｅの期間ではＢＬＥＤ点灯、Ｆの期間では消灯となる。ＡからＦの期間は図３に示すタイミングチャートの各期間と同じになる。これを視認者から見ると、図５に示すように、赤に発光する星形とＧに発光する星形とＢに発光する星形がそれぞれ一定の距離を保って視認できる。この場合、人間の目の残像効果も得られ、それぞれの星が空間に表示されているように視認される。このような表示が、図４のＰ１からＰ６までの５箇所で表示されるため、Ｐ１からＰ６まで振っている間に赤緑青の星がそれぞれ５個視認できる。
【００４６】
図６は、図４におけるＰ１からＰ６における表示状態を示す図である。
【００４７】
図６に示すように、Ｐ１からＰ６の間の５つの領域で、赤、緑、青の星が３個ずつ視認される。周囲が暗い環境の場合には、これらの表示がよりはっきりとした残像として残り、連続した星形が目で視認できる。
【００４８】
ここで重要なことは、カラー表示装置１００が移動されていないときには、ＳＦ＝Ｌоの低周波駆動モードであっても、赤緑青の星が同じ位置で発光するために、赤緑青の星が加法混色されて白色に視認されることである。つまり、カラー表示装置を静止して視認しているときには白色表示に見えるが、カラー表示装置１００を移動させた途端に各色のＬＥＤによるカラー表示の星が現れる。これは従来にはないファッショナブルで、顧客好感度を向上させる効果が得られるイルミネーション表示である。
【００４９】
このようなイルミネーション表示は、カラー表示装置１００を使用する使用者のみならず使用者の周辺にいる観察者に対するイルミネーション表示にもなる。例えば、使用者が歩行中や自転車での移動中にこのような表示を行うと、観察者と使用者との相対速度により、周囲の観察者には、空間に残像として赤、緑、青の星が残り極めてきれいなイルミネーション表示となる。
【００５０】
このように、本発明の特徴の１つは、カラー表示装置１００を固定した場合には、観察者には、異なった色の画像が混色して視認されるが、カラー表示装置１００を移動させると、観察者には、異なった色の画像が、ばらばらに視認されるようなフレーム周波数を選択している点である。
【００５１】
カラー表示装置１００を固定した場合には、異なった色の画像が混色して視認されるようにするためには、ＳＦ＝Ｌоの低周波駆動モードにおいて、フレーム周波数を２０Ｈｚ以上にする必要がある。例えば、１９Ｈｚ以下のフレーム周波数でカラー表示装置１００の光源１を駆動すると、カラー表示装置１００を固定した場合にも、観察者には、赤、緑、青の星が、順々に切換っていくように視認される。
【００５２】
このようなフレーム周波数を決定するために、５０人を対象として感応試験を行った。その結果を図７に示す。図７は、縦軸を限界フレーム周波数（Ｈｚ）、横軸に被験者番号を取ったものである。実験は、ＳＦ＝Ｌоの低周波駆動モードにおいて、カラー表示装置１００の表示白輝度を３００ｎｉｔとし、フレーム周波数を被験者毎に徐々に減少させて、観察者には、赤、緑、青の星が、重なって白に視認される限界のフレーム周波数（限界フレーム周波数）を決定する方法によって行った。図７の結果、フレーム周波数が、２０Ｈｚ以上であれば、ほとんどの人に、異なった色の画像が混色して視認されるものと判断できる。これは、フレーム周波数が、２０Ｈｚ以上であると、人の目の網膜に表示される画像が早く切換りすぎて、各画像の色の区別をつけることができないからだと推測される。
【００５３】
また、ＳＦ＝Ｌоの低周波駆動モードにおいて、カラー表示装置１００を振った場合に、異なった色の画像が、ばらばらに視認されるようにするためには、フレーム周波数を５９Ｈｚ以下にする必要がある。例えば、６０Ｈｚ以上のフレーム周波数でカラー表示装置１００の光源１を駆動すると、カラー表示装置１００を移動させた場合にも、観察者には、赤、緑、青の星が、混色して白の星となって視認され、ＳＦ＝Ｈｉの高周波駆動モードと区別を付けることができなくなってしまう。
【００５４】
異なった色の画像がばらばらに視認されるようにするためには、表示されたある１つの画像が表示されて（例えば、図３の２０）、画像が消えてから、次の画像（例えば、図３の２１）が表示されるまでの期間Ｔに、カラー表示装置１００が、その画像の長さよりも長い距離を移動した場合、それらの画像は別々に認識されることとなる。
【００５５】
図３を参照すると、期間Ｔ＝ＴＯＦＦ１且つＴ＝６／Ｆである（ただし、Ｆはフレーム周波数）。即ち、画像の長さをＬ（ｍｍ）、カラー表示装置１００の移動速度をＶｆ（ｍｍｓ）とすると、Ｖｆ＞Ｌ／Ｔ、即ちＦ＜６×Ｖｆ／Ｌを満足すれば良い。
【００５６】
人が手を振る速度は約０．５ｋｍ／ｈ以上且つ５．０ｋｍ／ｈ以下（また、人が歩く速度は約１ｋｍ／ｈ以上且つ４ｋｍ／ｈ以下：図２０参照）であるので、Ｖｆは０．５ｋｍ／ｈ以上且つ５．０ｋｍ／ｈ以下（１３９ｍｍ／ｓ以上且つ１３９０ｍｍ／ｓ以下）と設定した。また、携帯電話の画面サイズは、１インチから２．４インチであるので、画像の長さＬを５ｍｍ以上且つ１４ｍｍ以下と設定した。このような関係からＦの最大値を求めると、Ｆ＜６×１３９／１４＝５９．６となる。また、一般に、フレーム周波数が６０Ｈｚ以上ではカラーブレイク現象が発生しづらいと言われているため、本発明では、ＳＦ＝Ｌоの低周波駆動モードにおいて、カラー表示装置１００を移動させた場合に、異なった色の画像が、ばらばらに視認されるようにするためのフレーム周波数を５９Ｈｚ以下とした。
【００５７】
以上より、カラー表示装置１００では、ＳＦ＝Ｌоの低周波駆動モードにおいて、フレーム周波数を２０ＫＨ以上且つ５９Ｈｚ以下に設定することとした。
【００５８】
なお、カラー表示装置１００では、フレーム周波数（ｆＦＲＡＭＥ１）を３０Ｈｚとしたが、視認者の振るスピード、カラー表示装置のサイズ、表示画像（本実施形態では星型）のサイズに応じて、２０ＫＨｚ以上且つ５９Ｈｚ以下の範囲内の適切な値を用いることが可能である。
【００５９】
図８は、低周波駆動モードと高周波駆動モードにおける駆動タイミングを示した図である。
【００６０】
図８（ａ）は図２における高周波駆動モードのＬＥＤの発光タイミングを示し、図８（ｂ）は図２における低周波駆動モードのＬＥＤの発光タイミングを示し、図８（ｃ）及び図８（ｄ）は他の低周波駆動モードのＬＥＤの発光タイミングを示している。なお、各図において、便宜上の都合から、ＲＬＥＤ１１、ＧＬＥＤ１２及びＢＬＥＤ１３の発光タイミングをまとめて示している。
【００６１】
図８(ａ）は、図２に示す、ＳＦ＝Ｈｉの高周波駆動モードの場合のＬＥＤの発光タイミングを示している。即ち、前述したように、そのフレーム周波数は、８０Ｈｚである。また、Ｒ色ＬＥＤのデューティ比は、ＴＲＯＮ２／（１／ｆＲ２）＝ＴＲＯＮ２・ｆＲ２となり、Ｇ色ＬＥＤのデューティ比は、ＴＧＯＮ２／（１／ｆＧ２）＝ＴＧＯＮ２・ｆＧ２となり、Ｂ色ＬＥＤのデューティ比は、ＴＢＯＮ２／（１／ｆＲ２）＝ＴＢＯＮ２・ｆＢ２となる。
【００６２】
また、図８(ｂ）は、図２に示す、ＳＦ＝Ｌｏの低周波駆動モードの場合のＬＥＤの発光タイミングを示している。即ち、前述したように、そのフレーム周波数は、３０Ｈｚである。また、Ｒ色ＬＥＤのデューティ比は、ＴＲＯＮ１／（１／ｆＲ１）＝ＴＲＯＮ１・ｆＲ１となり、Ｇ色ＬＥＤのデューティ比は、ＴＧＯＮ１／（１／ｆＧ１）＝ＴＧＯＮ１・ｆＧ１となり、Ｂ色ＬＥＤのデューティ比は、ＴＢＯＮ１／（１／ｆＲ１）＝ＴＢＯＮ１・ｆＢ１となる。
【００６３】
ここで、図２からも理解されるように、図８（ａ）における各色ＬＥＤのデューティ比と、図８（ｂ）における各色ＬＥＤのデューティ比は同じに設定されている。しかしながら、ＳＦ＝Ｌоにおける低周波駆動モードとＳＦ＝Ｈｉにおける高周波駆動モードにおけるデューティ比を同じに設定すると、低周波駆動モードにおいて表示画像がにじむ、ぼける又は流れるという不具合が生じる。
【００６４】
図９は、低周波駆動モードと高周波駆動モードにおけるイルミネーション効果を説明するための図である。
【００６５】
図９（ａ）は図２における高周波駆動モードの場合（図８（ａ）参照）を示し、図９（ｂ）は図２における低周波駆動モードの場合（図８（ｂ）参照）を示し、図９（ｃ）は図８（ｃ）の場合を示している。なお、図９の各図は、外側画面５５を有する携帯電話にカラー表示装置１００を組み込んだ例を示している。また、図９の各図において、携帯電話は、矢印Ａの方向に所定の一定速度で、各図の左側に静止した状態９００から各図右側の静止した状態９０１に移動されたものとする。さらに、図９の場合、カラー表示装置１００は、星型の図形を表示しているものとする。なお、図８（ｂ）において、携帯電話が静止している状態９００及び９０１では、画面５５は、白色の星９２０及び９２４を表示する。
【００６６】
図９（ａ）は高周波駆動モードであるので、図８（ａ）に示すようにＬＥＤの発光タイミングが早く、携帯電話が９００の状態から９０１の状態に移動しても、画面５５に表示されるのは、携帯電話が静止状態でも白色の星９１０であり、残像等は生じない。
【００６７】
これに対して、図９（ｂ）は低周波駆動モードであるので、図８（ｂ）に示すようにＬＥＤの発光タイミングが遅く、携帯電話が９００の状態から９０１の状態に移動すると、画面５５が移動した軌跡に沿って、Ｒ色の星９２１、Ｇ色の星９２２及びＢ色の星９２３が写しだされるように見える。また、Ｒ色の星９２１、Ｇ色の星９２２及びＢ色の星９２３は、図８（ｂ）のタイミングに対応することから、図９（ｂ）に示すように、にじむ、ぼける又は流れるという不具合が生じ、星が鮮明に表示されることがない。これは、図８（ｂ）に示すように、ＴＲＯＮ１、ＴＧＯＮ１及びＴＢＯＮ１の時間が長すぎるからであると考えられる。
【００６８】
そこで、本発明では、図８（ｃ）に示すように、ＳＦ＝Ｌｏの低周波駆動モードにおける各色ＬＥＤのデューティ比をＳＦ＝Ｈｉの高周波駆動モードにおけるデューティ比より小さく設定したことで、非照明期間の割合が増えることになり、実質的に黒画面の表示期間が多くなったことになる。これにより、低周波モード時に発生する画像のにじみ、ぼけ又は画像が流れるという不具合の発生を防止している。
【００６９】
図８（ｃ）では、図８（ａ）に示すＳＦ＝Ｈｉの高周波駆動モードにおけるデューティ比のそれぞれ１／２のデューティ比に設定した。即ち、図８（ｃ）におけるデューティ比は、Ｒ色ＬＥＤについてはＴＲＯＮ３／（１／ｆＲ）＝ＴＲＯＮ３・ｆＲとなり、Ｇ色ＬＥＤについてはＴＧＯＮ３／（１／ｆＧ）＝ＴＧＯＮ３・ｆＧとなり、Ｂ色ＬＥＤについてはＴＢＯＮ３／（１／ｆＢ）＝ＴＢＯＮ３・ｆＢとした。
【００７０】
図８（ｃ）に対応する表示例を図９（ｃ）に示す。図９（ｃ）に示すように、携帯電話が９００の状態から９０１の状態に移動すると、画面５５が移動した軌跡に沿って、Ｒ色の星９３１、Ｇ色の星９３２及びＢ色の星９３３が写しだされるように見える。しかしながら、図９（ｃ）の場合では、図９（ｂ）の場合と異なり、ＳＦ＝Ｌｏの低周波駆動モードにおける各色ＬＥＤのデューティ比を、ＳＦ＝Ｈｉの高周波駆動モードにおける各色ＬＥＤのデューティ比より小さく（点灯割合を小さく）したことで、非照明期間の割合が増えることになり、実質的に黒画面の表示期間が多くなったことになる。これにより、低周波モード時に発生する画像のにじみ、ぼけ又は画像が流れるという不具合の発生を防止している。なお、図８（ｃ）において、携帯電話が静止している状態９００及び９０１では、画面５５は、白色の星９３０及び９３４を表示する。
【００７１】
図８（ｃ）及び図９（ｃ）の状況において、表示画像がにじむ、ぼける又は流れるという不具合を防止することを可能とするのは、ＴＲＯＮ３、ＴＧＯＮ３及びＴＢＯＮ３の時間が十分に短くすることで、非照明期間の割合が増えることになり、実質的に黒画面の表示期間が多くなったことによる。
【００７２】
図８（ｄ）に、ＳＦ＝Ｌоの低周波駆動モードにおいて、表示画像がにじむ、ぼける又は流れるという不具合を防止することを可能とする他の例を示す。図８（ｄ）では、各色ＬＥＤのデューティ比は、図８（ｃ）と同じであるが、サブフレーム（１／ｆＲ、１／ｆＧ及び１／ｆＢ）内でのＬＥＤの点灯タイミングを異ならせている。図８（ｄ）のように、設定しても、図９（ｃ）と同様に、ＳＦ＝Ｌоの低周波駆動モードにおいて、表示画像がにじむ、ぼける又は流れるという不具合を防止できることに代わりはない。
【００７３】
なお、図８（ｃ）及び（ｄ）において、ＳＦ＝Ｌоの低周波駆動モードにおける各色ＬＥＤのデューティ比を、ＳＦ＝Ｈｉの高周波駆動モードにおける各色ＬＥＤのデューティ比の１／２に設定したが、これは一例であって、これに限定されるものではない。即ち、前述したように、ＳＦ＝Ｌоの低周波駆動モードにおける各色ＬＥＤのデューティ比が、ＳＦ＝Ｈｉの高周波駆動モードにおける各色ＬＥＤのデューティ比より小さくなるように設定されている。ＳＦ＝Ｌоの低周波駆動モードにおける各色ＬＥＤのデューティ比が、ＳＦ＝Ｈｉの高周波駆動モードにおける各色ＬＥＤのデューティ比の３／４以下に設定されることが好ましく、特に１／２以下に設定されることが非常に好ましい。
【００７４】
さらに、図８（ｃ）及び（ｄ）の例では、各色ＬＥＤのデューティ比を各色とも同じに設定しているが、これに限定されることなく、色毎に最適なデューティ比に設定することが可能である。
【００７５】
図１０は、本発明に係るカラー表示装置１００におけるタイミングチャートを示す図である。
【００７６】
図１０では、図８（ｃ）の例に沿って、カラー表示装置１００におけるタイミングチャートを表示している。したがって、図１０では、ＳＦ＝Ｌｏの低周波駆動モードでは、Ｒ色ＬＥＤのデューティ比はＴＲＯＮ３・ｆＲ、Ｇ色ＬＥＤのデューティ比はＴＧＯＮ３・ｆＧ、Ｂ色ＬＥＤのデューティ比はＴＢＯＮ３・ｆＢとなり、ＳＦ＝Ｈｉの高周波駆動モードにおけるデューティ比の１／２としている。したがって、図９（ｂ）に示すように、カラー表示装置１００が搭載される携帯電話が移動されたとしても、表示画像のにじみ、ぼける又は流れるという不具合を防止することが可能となり、図９（ｃ）に示すように、鮮明にあらたなイルミネーションを映し出すことが可能となった。
【００７７】
ところで、図１０におけるＳＦ＝Ｌоの低周波駆動モードにおいて、例えば、Ｒ色ＬＥＤ１１がＯＮしている期間（ＴＲＯＮ３）は、光源１が液晶表示部２を照明する照明期間であり、Ｒ色ＬＥＤ１１がＯＦＦしている期間（ＴＲＯＦＦ３）は、光源１が液晶表示部２を照明しない非照明期間である。そう言った意味で、図１０の例では、ＳＦ＝Ｌоの低周波駆動モードにおける照明期間の非照明期間に対する割合を、ＳＦ＝Ｈｉの高周波駆動モードにおける照明期間の非照明期間に対する割合より小さく設定したと言うことが可能である。
【００７８】
図１の例では、光源１によって照射される被照射体を液晶表示部２としたが、被照射体は液晶表示部に限定されず、他の構成であっても良い。例えば、被照射体は、アクリル樹脂で形成した透明基板上にプリズムが形成された導光板、無色透明のポリカーボネイトに星型の反転領域を黒色に塗装したフィルムを組み合わせたもの等、光源１からの光透過量を制御できるものであればどのような構成であっても良い、
また、図１の例では、光源１に３色のＬＥＤ１１、１２及び１３を設け、ＬＥＤ制御回路４によって、その点灯タイミングを制御したが、光源は図１の例に限定されるものではない。例えば、光源１は、３色のＬＥＤ１１、１２及び１３を連続点灯させ、導光板１０と３色のＬＥＤ１１、１２及び１３との間に光学シャッタを設けて、制御部によって、シャッタの開閉動作を行うように構成することも可能である。
【００７９】
さらに、図１の例では、液晶パネル８０に星を表示させる場合について説明した。しかしながら、液晶パネル８０を用いれば、固定した表示ではなく、さまざまな画像を表示することができる。高周波駆動モードにおいて動画や静止画を表示する場合には、ＦＳＣ方式のカラー表示装置の特徴である高輝度、高彩度、高精細の画像表示を実現できるため、カラーフィルタタイプの液晶パネルよりもきれいな表示を実現できる。低周波駆動モードにおいて星形だけでなくハートや丸形など多彩な模様を表示する場合には、カラーブレイク現象によるイルミネーション表示を美しく且つ多様に実現できる。また、低周波駆動モードでは、星形の数や大きさが変化するなどのアニメーション表示を行うなどの演出も可能となる。このようにライトパネルとして液晶パネル８０を有する液晶表示部２を用いた場合には、従来には全くないファッショナブルな表示及び顧客好感度を向上させる表示を実現することができる。また、ソフトウェアなどでＬＥＤ制御回路４をコントロールするだけで、多色の表示やＬＥＤの点滅速度を任意に変化させたり、よりファッショナブルな発光パターンを実現させたりすることもできる。このようにＬＥＤ制御回路４のみを低周波駆動モードと高周波駆動モードを切換えるのみで簡単にイルミネーション表示とＦＳＣ方式の表示を切換えることができる。
【００８０】
図１１は本発明に係る携帯電話１１００の概略外観図であり、図１２は図１１に示す携帯電話１１００の概略構成ブロック図である。
【００８１】
携帯電話１１００は、図１に示すカラー表示装置１００を携帯電話に組み込んだものであって、画面５５を有している。また、カラー表示装置１００は、図１０に示すタイミングチャートに従って、光源１の駆動を行うものとする。
【００８２】
また、図１２に示すように、携帯電話１１００は、カラー表示装置１００、アンテナ５０、受信部５１、送信部５２及び制御部５３等を有する。なお、本発明に係るカラー表示装置１００は、携帯電話の他、ＰＤＡ、携帯型パーソナルコンピュータ等の携帯電子機器に組み込むことが可能である。
【００８３】
制御部５３は、受信信号を受信部５１から受け取り、送信部５２を介してメールや音声などを送信し、表示画像信号を生成してカラー表示装置１００へ転送する。また、制御部５３からＳＦ信号がカラー表示装置１００のＳＦ端子に入力できるように構成されている。前述したように、ＳＦ信号によりカラー表示装置１００は低周波駆動モード（フレーム周波数２０ＫＨｚ以上且つ５９ＫＨｚ以下）と高周波駆動モード（フレーム周波数６０Ｈｚ以上）に切換えられる。
【００８４】
図１３は、制御部５３がＳＦ信号を切換える手順を示すフローチャートである。
【００８５】
図１３に示すように、制御部５３は、スリープモード（Ｓ１）から抜けだした後、メールや着信などの受信があるかどうかを判定する（Ｓ２）。受信があった場合にはＳＦ信号をＬｏに設定して低周波駆動モードでカラー表示装置１００を駆動する（Ｓ５）。これによりカラー表示装置１００は、低周波駆動モードによるイルミネーション表示が可能となり、使用者に受信があったことをイルミネーションでより注意を引きながら知らせることができる。受信がない場合には、送信中であるかどうかを判定する（Ｓ３）。使用者がメールや音声通話状態にある場合には、同様にＳＦ信号をＬｏに設定し（Ｓ５）、送信中であることを使用者に知らせるだけでなく周囲の視認者にファッショナブルなイルミネーション表示及び顧客好感度を向上させる表示を提供する。送信中でない場合には、ＳＦ信号をＨｉに設定し、高周波駆動モードにより通常の表示を行う（Ｓ４）。
【００８６】
特に、本発明に係る携帯電話１１００では、図１０に示すように、ＳＦ＝Ｌоの低周波駆動モードにおける各色ＬＥＤのデューティ比が、ＳＦ＝Ｈｉの高周波駆動モードにおける各色ＬＥＤのデューティ比より小さくなるように設定されているので、低周波駆動モードにおいて、携帯電話１１００を移動させた場合に、画像がにじむ、ぼける又は流れるという不具合が生じることなく、鮮明に映し出される。
【００８７】
また、上記以外の状況でも、さまざまなモードでＳＦ信号を切換えることが考えられる。例えば、充電中にイルミネーション表示を行うこともできるし、使用者がキー操作により強制的に低周波駆動モードに入ることもできる。
【００８８】
このように高周波駆動モードと低周波駆動モードとを携帯電話の制御部５３で切換制御することによって、機器の状態により所望のモードに切換えることができる。したがって、使用者へ機器の状態を認識させるためのインターフェースが広がるばかりでなく、周囲の視認者へのファッショナブルな表示もコントロールすることができる。
【００８９】
図１４は、携帯電子機器１１００の他の概略構成ブロック図である。
【００９０】
図１４と図１２との差は、図１６がモータ５６を備える点のみである。モータ５６は、着呼またはメールの着信を使用者に知らせるために利用される。例えば、乗車中に着信音によって周囲の乗客の迷惑にならないようなマナーモードにした場合に、モータ５６を駆動させ、携帯電話を振動させて使用者にメールの着信を知らせる。このようなモータ５６の駆動を低周波駆動モードと組み合わせることによって、さらにファッショナブルなイルミネーション表示を実現できる。
【００９１】
図１５は、図１４に示す構成を有する携帯電子機器１１００の動作の一例を示したフローチャートである。
【００９２】
図１５に示すように、制御部５３は、スリープモード（Ｓ１０）から復帰後に、各状態において低周波駆動モードを判定する（Ｓ１１）。低周波駆動モードでない場合にはモータは通常のようにＯＦＦになり（Ｓ１４）、マナーモードによるメールの着信などのほかの判定ルーチンへ分岐する（Ｓ１５）。低周波駆動モードの場合には、モータ同期モードかどうかを判定する（Ｓ１２）。なお、使用者は、キー入力により予めモータ同期モードのＯＮ／ＯＦＦを設定できる。その後、モータ同期モードであれば、モータ５６をＯＮする（Ｓ１３）。モータ同期モードでなければ、モータ５６をＯＦＦし（Ｓ１４）、その他の判定ルーチンに分岐する（Ｓ１５）。
【００９３】
低周波駆動モードの場合に、モータ５６をＯＮにすると、モータ５６が回転によって携帯電話自体が激しく振動し、使用者が携帯電話を振ったのと同じ効果が得られる。モータ５６による振動は、図４に示した振り幅よりも小さいが、逆に人が振るよりも細かく早く振動するため、より小さい範囲でＲ、Ｇ、Ｂの発光色の分解が繰り返し起り、図４に示した例に比べて違ったファッション性が得られる。
【００９４】
図１６は、低周波駆動モード時にモータを利用した場合の表示画像の一例を示す図である。
【００９５】
例えば、画面５５にちいさな星を画面内にたくさん表示した画像１８０を表示し、図１５に示すフローチャートに従いモータ５６をＯＮにすると、その振動によりＲ、Ｇ、Ｂの各色の星がたくさん表示されているように見える（画像１８１参照）。使用者が振った場合には大きな空間で星が見えたが、この場合には、ほぼ画面内に星が見える。しかも、振動に同期しているため、モータ５６を回す回転数やタイミングをリズミカルに変動させると、星の出現も同じリズムになり、とてもファッショナブルなイルミネーション表示とすることができる。
【００９６】
ここで、携帯電話１１００の画面５５では、図１０に示すように、ＳＦ＝Ｌоの低周波駆動モードにおける各色ＬＥＤのデューティ比が、ＳＦ＝Ｈｉの高周波駆動モードにおける各色ＬＥＤのデューティ比より小さくなるように設定されているので、低周波駆動モードにおいて、携帯電話１１００を振動させた場合に、画像がにじむ、ぼける又は流れるという不具合が生じることなく、鮮明に映し出される。
【００９７】
図１７は本発明に係る他の携帯電話１２００の概略外観図であり、図１８は図１７に示す携帯電話１２００の概略構成ブロック図である。
【００９８】
携帯電話１２００は、図１に示すカラー表示装置１００を携帯電話に組み込んだものであって、画面５５を有している。また、カラー表示装置１００は、図１０に示すタイミングチャートに従って、光源１の駆動を行うものとする。携帯電話１２００と携帯電話１１００との差異は、携帯電話の外側に画面５５を有する点と携帯電話１２００が加速度センサ２４０を備える点である。
【００９９】
携帯電話１２００は、アンテナ５０、カラー表示装置１００、受信部５１、送信部５２、制御部５３、及び加速度センサ２４０を有している。カラー表示装置１００は、閉じたときに外側になるように筐体の背面に配置されている。
【０１００】
加速度センサ２４０は携帯電話１２００の画面５５側の筐体に内蔵されている。このように構成するのは、携帯電話１２００を手に持って振った場合に、通常、使用者は画面５５が設けられている筐体と逆の筐体を手に持つため、支点から遠い方がより大きな加速度を得られ、検出精度が向上するからである。加速度センサ２４０は、ピエゾ式のものでＸ−Ｙの２軸検出が可能なものを用いた。内部に設けたおもりに加速度による力が加わるとＸ、Ｙそれぞれの抵抗が加わった力に比例して歪むため抵抗値が変化する。加速度センサ２４０は、この抵抗値変化を検出してＸ、Ｙデジタル信号を出力する。制御部５３は、このＸ、Ｙデジタル信号に基づいて、携帯電話１２００が、ＸまたはＹ方向に振られたことを検出できる。なお、加速度センサを用いる代わりに、傾斜センサで代用しても良い。
【０１０１】
図１９は、携帯電話１２００に応じた制御の一例を示すフローチャートである。
【０１０２】
図１９に示すように、制御部５３は、最初に通話中か開扉中かを判定する（Ｓ３０）。即ち、使用者が通話中またはメール操作中で筐体を開いているか否か、または筐体を閉じているが使用者の操作によりイルミネーション待機モードに入っているか否かを判定する。通話中等でない場合、Ｓ３０の判定を繰り返す。通話中等の場合には、加速度センサ２４０のからのＸ、Ｙデジタル信号が検出されたか否かの判定を行う（Ｓ３１）。Ｘ、Ｙデジタル信号が検出され場合、ＳＦ信号をＬｏに設定し（Ｓ３２）、３秒間のイルミネーション表示を行う（Ｓ３３）。その後、ＳＦ信号をＨｉに設定し直し（Ｓ３４）、Ｓ３０へ戻る。
【０１０３】
図２０は、図１９に示す携帯電話１２００を使用する場合の説明図である。
【０１０４】
携帯電話１２００は、３秒間のイルミネーション表示中（Ｓ３３参照）、白色の星形を画面５５に表示し続けている。使用者が静止している場合には、図１９のフロ−チャートでは、通話中で、携帯電話１２００は開扉されており、加速度センサからのＸ、Ｙデジタル信号は検出できないので、携帯電話１２００の画面５５にはイルミネーション表示のない黒画面が表示されている。これに対して、図２０の矢印に示す方向に使用者が歩いて移動すると（人が歩く速度は約１ｋｍ以上且つ４ｋｍ以下）、加速度センサ２４０からのＸ、Ｙデジタル信号が検出され、ＳＦ信号がＬｏに設定されて、カラー表示装置１００は低周波駆動モードに入る。すると使用者が移動しているため、周囲にいる観察者には、赤、緑、青の星２６０が残像として視認される。周囲が暗い場合にはさらに明るくきれいなイルミネーションとして視認される。加速度センサ２４０により移動を検出してから表示を行うため、このようなイルミネーションは通常は表示されず、移動したときのみ表示される。これにより観察者の驚く感覚と興味を引きつけることができる。
【０１０５】
この場合でも、携帯電話１２００の画面５５では、図１０に示すように、ＳＦ＝Ｌоの低周波駆動モードにおける各色ＬＥＤのデューティ比が、ＳＦ＝Ｈｉの高周波駆動モードにおける各色ＬＥＤのデューティ比より小さくなるように設定されているので、低周波駆動モードにおいて、携帯電話１１００を振動させた場合に、赤、緑、青の星２６０がにじむ、ぼける又は流れるという不具合が生じることなく、鮮明に映し出される。
【０１０６】
また、携帯電話１２００において、加速度センサ２４０が、大きい加速度を検出した場合（早く携帯電話を振った場合）には、低周波駆動モードにおける各色ＬＥＤのデューティ比をより小さく設定し、小さい加速度を検出した場合（ゆっくり携帯電話を振った場合）には、低周波駆動モードにおける各色ＬＥＤのデューティ比をより大きく設定するように構成することが好ましい。携帯電話を早く振った場合には、低周波駆動モードにおける各色ＬＥＤのデューティ比をより小さく設定しないと、画像がにじむ、ぼける又は流れるという不具合が生じ安くなるからである。
【０１０７】
さらに、携帯電話１２００において、加速度センサ２４０の代わりに、傾きセンサを設け、携帯電話１２００が直立した状態、右に４５度傾いた状態、及び左に４５度傾いた状態等を検出し、検出に応じて、ＳＦ信号を切換えるように構成することも可能である。このように、構成することによって、ユーザによる携帯電話に使用状況に応じた、新たなイルミネーション効果を生じさせることが可能となる。
【０１０８】
上記では、光源と液晶表示部を有するカラー表示装置について述べた。しかしながら、ＬＥＤディスプレイのように光源のみを多数収容して画素を形成したカラー表示装置についても、低周波駆動モード及び高周波駆動モードを設けて適時両モードを切換えること等によって本発明と同様な作用効果を奏することができる。また、最近になり実用化されている有機ＥＬパネルにも、本発明を適用することができる。その場合、有機ＥＬパネルでは有機ＬＥＤを多数形成しているため、Ｒ、Ｇ、Ｂの各画素を構成する有機ＬＥＤをＦＳＣ方式で駆動すれば良い。例えば、最初の画面はＧ、Ｂを非点灯（黒）とし、Ｒのみに画像を書き込む。これによりＲの画像が表示される。同様にＧの画像及びＢの画像を順次表示する。このようなＲの画像、Ｇの画像及びＢの画像を前述した低周波駆動モードで駆動すればよいだけである。これによりカラーブレイク現象によるイルミネーション効果を得ることができる。
【０１０９】
上記では、光源にＬＥＤを用いたが、冷陰極管や有機ＥＬなどを用いても良い。さらに、白色ＬＥＤにカラーフィルタを組み合わせた色光源を用いても良い。
【図面の簡単な説明】
【０１１０】
【図１】本発明に係るカラー表示装置の概略構成を示した図である。
【図２】カラー表示装置の駆動を説明するためのタイミングチャートの一例を示す図である。
【図３】視認状態の遷移を示す図である。
【図４】カラー表示装置におけるイルミネーション効果を説明するための図である。
【図５】Ｐ１からＰ２における表示状態の遷移を示す図である。
【図６】Ｐ１からＰ６における表示状態の遷移を示す図である。
【図７】感応試験の結果を示す図である。
【図８】（ａ）は図２における高周波駆動モードのＬＥＤの発光タイミングを示し、（ｂ）は図２における低周波駆動モードのＬＥＤの発光タイミングを示し、（ｃ）及び（ｄ）は他の低周波駆動モードのＬＥＤの発光タイミングを示している。
【図９】（ａ）は図８（ａ）の場合のイルミネーション効果を示し、（ｂ）は図８（ｂ）の場合のイルミネーション効果を示し、（ｃ）は図８（ｃ）の場合のイルミネーション効果を示している。
【図１０】本発明に係るカラー表示装置におけるタイミングチャートの一例を示す図である。
【図１１】本発明に係る携帯電話の概略外観図である。
【図１２】図１１に示す携帯電話の概略構成ブロック図である。
【図１３】図１１に示す携帯電話におけるモードの切換フローチャートの一例を示す図である。
【図１４】図１１に示す携帯電話の他の概略構成ブロック図である。
【図１５】図１４に示す構成における動作の一例を示したフローチャートである。
【図１６】低周波駆動モード時にモータ利用した場合の表示画像の一例を示す図である。
【図１７】本発明に係る他の携帯電話の概略外観図である。
【図１８】図１７に示す携帯電話の概略構成ブロック図である。
【図１９】図１７に示す携帯電話におけるモードの切換フローチャートの一例を示す図である。
【図２０】図１７に示す携帯電話によるイルミネーション効果を説明するための図である。
【符号の説明】
【０１１１】
１    光源
２    液晶表示部
４    ＬＥＤ制御回路
１０    導光板
１１    ＲＬＥＤ
１２    ＧＬＥＤ
１３    ＢＬＥＤ
５３    制御部
５６    モータ
８０    液晶パネル
８１    液晶駆動集積回路
８２    液晶駆動制御回路
８３    同期信号
１００    カラー表示装置
２４０    加速度センサ
１１００、１２００    携帯電話
【図１】
2007199236.tif 000003
【図２】
2007199236.tif 000004
【図３】
2007199236.tif 000005
【図４】
2007199236.tif 000006
【図５】
2007199236.tif 000007
【図６】
2007199236.tif 000008
【図７】
2007199236.tif 000009
【図８】
2007199236.tif 000010
【図９】
2007199236.tif 000011
【図１０】
2007199236.tif 000012
【図１１】
2007199236.tif 000013
【図１２】
2007199236.tif 000014
【図１３】
2007199236.tif 000015
【図１４】
2007199236.tif 000016
【図１５】
2007199236.tif 000017
【図１６】
2007199236.tif 000018
【図１７】
2007199236.tif 000019
【図１８】
2007199236.tif 000020
【図１９】
2007199236.tif 000021
【図２０】
2007199236.tif 000022